(57)【要約】【目的】  加圧作用で支援して筆記可能とするボールペンリフィールを少なくとも一本搭載した便利な加圧式の複合筆記具を提供可能とする。【構成】  先端にボールペンのチップと後方にインキ収容部を備え、インキ収容部にインキとインキの後端にフォロアが充填されてなるボールペンリフィールを複数搭載して先軸先端からチップ先端部を交互に出没可能とする加圧式の複合筆記具に於いて、筆記先端部が先軸先端から突出状態となった一箇所のノック体に対して、他箇所のノック体の前進によって入れ違いに前記一箇所のノック体が没入状態となり、その各々のノック体の内孔部前方にボールペンリフィールが着脱自在に密嵌されると共に、所定のノック体におけるボールペンリフィール後端後方にポンピング式の加圧機構が設けられて、そのポンピング操作によってインキのチップ側への流動性が支援されるように構成されてなる。【選択図】        図２
2004314634.tif 000002
【特許請求の範囲】
【請求項１】
先端にボールペンのチップと後方にインキ収容部を備え、インキ収容部にインキとインキの後端にインキと追随するフォロアが充填されてなるボールペンリフィールと、そのボールペンリフィールを複数搭載して先軸先端からチップ先端部を交互に出没可能とする加圧式の複合筆記具に於いて、
筆記先端部が先軸先端から突出状態となった一箇所のノック体に対して、他箇所のノック体の前進によって入れ違いに前記一箇所のノック体が没入状態となり、その各々のノック体の内孔部前方にボールペンリフィールが着脱自在に密嵌されると共に、所定のノック体におけるボールペンリフィール後端後方にポンピング式の加圧機構が設けられて、そのポンピング操作によってフォロアの後端が加圧されて、インキのチップ側への流動性が支援されるように構成されたことを特徴とする加圧式の複合筆記具。
【発明の詳細な説明】
【技術分野】
【０００１】
本発明は、複数のボールペンリフィールを搭載して、それぞれの筆記先端部を選択的に軸先より突出可能とすると共に、ポンピング式の加圧操作によってインキのチップ側への流動性が支援されるように構成された加圧式の複合筆記具に関する。
【背景技術】
【０００２】
【特許文献１】特開平８−５２４０７
【特許文献２】特表平７−５０６８６２
【特許文献３】特開２００１−１５０８６５
【特許文献４】特開２００１−１７１２８６
【特許文献５】実開昭６３−９８７７６
【特許文献６】特開２０００−６２３８７  （特許文献１）  従来、誤記等を修正するために白色顔料を用いた液体塗布具が知られている。また、白色顔料と溶剤が分離しやすい為にこの種の液体塗布具は可撓性のある容器にインキとボール等が封入されており、使用に際して振って攪拌する必要がある。また、インキを吐出する為に容器の側面を押圧して行うが、インキ残量が少なくなった時には容器の側壁を強く押してもインキが吐出されないという苛立たしさがある。  （特許文献２）  また、剪断減粘性を有するインキを使用して、攪拌しないですむものも知られているが、上向きで塗布したときにインキが逆流してインキ切れしやすい問題が存在する。  （特許文献３）  また、軸筒の後端にポンピング式の加圧機構部が設けられ、更にその前方で且つインキの後端に接触してインキの消耗と共に追随するよう配設されたフォロアの後端に位置して弁機構が配設され、加圧機構部の前進作動によって軸筒の後端孔に空気が押し込まれて、その際に所定圧で弁が開いてフォロアの後端が加圧されることによってインキのチップ側への流動性が支援されるように構成されたものが提案されている。  しかしながら、このものは弁機構のバラツキ（弁の開閉に作用するスプリングのバラツキ、スリットを弾性的に開閉するゴム製弁体の寸法バラツキなど）で適正な加圧力が設定できないなどの問題がある。また、ボールペンの未使用時に於いて、加圧力が所定の設定値を越えた状態となっていた場合、不用意に筆記先端部に外力が懸かってインキが吹出るという問題がある。  （特許文献４）  また、ノック式筆記具に搭載されたものも知られている。  （特許文献５）  また、後端に加圧機構を設けて、ポンピング作用によってインキの流出を支援すると共に、インキの逆流が防止可能となるものが知られているが、インキの性質や機構のバラツキなどによって適正な加圧が発揮できずに異常にインキが吐出してしまったり、少なすぎたりする問題がある。  （特許文献６）  また、ボールペン筆記体の内、少なくとも一本を低粘度油性インキとした複数のボールペン筆記体を搭載して、それぞれのノック体をノックした時に係止突起がクリップ先端の係止段部に係止して筆記先端部を突出状態となり、その状態でクリップを胸ポケットに差した時に係止が解除されて筆記先端部が軸内に没入するように安全機構が設けられてなるノック式の複合筆記具が知られている。  尚、複合筆記具は、カム式、振り子式など引例に限らず知られている。
【発明の開示】
【発明が解決しようとする課題】
【０００３】
本発明は、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなど、加圧作用で支援して筆記可能とするボールペンリフィールを少なくとも一本搭載した便利な加圧式の複合筆記具を提供可能とする。
【課題を解決するための手段】
【０００４】
本発明は、上記課題を達成するために以下の構成を有する。
請求項１に記載の発明に係る加圧式の複合筆記具は、先端にボールペンのチップと後方にインキ収容部を備え、インキ収容部にインキとインキの後端にインキと追随するフォロアが充填されてなるボールペンリフィールと、そのボールペンリフィールを複数搭載して先軸先端からチップ先端部を交互に出没可能とする加圧式の複合筆記具に於いて、筆記先端部が先軸先端から突出状態となった一箇所のノック体に対して、他箇所のノック体の前進によって入れ違いに前記一箇所のノック体が没入状態となり、その各々のノック体の内孔部前方にボールペンリフィールが着脱自在に密嵌されると共に、所定のノック体におけるボールペンリフィール後端後方にポンピング式の加圧機構が設けられて、そのポンピング操作によってフォロアの後端が加圧されて、インキのチップ側への流動性が支援されるように構成されてなる。
【発明の効果】
【０００５】
本発明は、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなど、加圧作用で支援して筆記可能とするボールペンリフィールを少なくとも一本搭載した便利な加圧式の複合筆記具が提供可能となる。
【発明を実施するための最良の形態】
【０００６】
先ず、図１乃至図６は本発明の実施例を示している。また、２本のボールペンリフィール１ａ、１ｂを搭載した構造で示されている。
本発明の意図する加圧式の複合筆記具は、少なくとも一本がポンピング式の加圧作用を受けるインキが充填されたボールペンリフィールであることを特徴とするものである。
【０００７】
先ず、本発明の加圧式の複合筆記具に搭載されるボールペンリフィールに付いて説明する。尚、実施例のボールペンリフィール１ａと１ｂは同じ構成であり、例えば、基本的にはインキ色や描線巾などが異なるものである。
また、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなど、加圧作用で支援して筆記可能とするボールペンリフィールや、低粘度インキの水性、油性のボールペン、剪断減粘性を有したインキのボールペン、高粘度インキの油性ボールペンなど様々なボールペンが適用される。
【０００８】
従って、ボールペンリフィールは、インキの仕様やインキ収容部の太さ等によってチップ先端部の耐乾燥性、インキの直流及び逆流防止の対策が重要となる。乾燥しやすいインキ、低粘度のインキは耐乾燥性やインキの直流を防止するために先端ボールをチップのボール抱持部の内縁に密接させる手段が必要であり、インキの後端にインキの乾燥防止や逆流防止のフォロアが必要となる。また、インキ収容部が太い場合には、チップの後端とインキ収容部との間にインキの逆流を防止する弁機構が必要となる。また、加圧機構を必要とするインキに対してはインキが逆流して、弁機構部やノック機構部にインキ等が付着するのを防止するためにもフォロアが必要である。加圧のためのシール部の劣化や加圧機構の摺動・作動不良の防止など）
【０００９】
図６に基づき、ボールペンリフィール１ａの構造について説明すると、先ずチップ１１はインキ流入可能なチャンネルを有した座に先端ボール１２が略当接した状態で、先端ボールが回転自在に抱持されるようカシメられている。
また、チップ１１の内孔部にスプリング１５が内挿され、チップの軸部１３の後端が適宜カシメられてスプリング１５の後端が抜出不能に設けられている。
また、スプリング１５の先方には直立状の棒軸部１６が形成され、この棒軸部の先端が先端ボール１２の後端に押圧状に当接する。尚、先端ボールはその押圧でチップ１１のボール抱持部の内縁に密接状態と成されている。
【００１０】
また、継ぎ手２の内孔部１０の後方にチップ１１の軸心と適宜偏心した弁室５が設けられ、この弁室の後部には導孔８に連通してテーパー状または球面状のボール受け座６が形成されている。また、弁室５の内壁の一側にはインキが流入可能な溝部７が形成されている。また、弁室内にはボール弁９が遊嵌されて、チップ１１を下向きにした状態でボール弁９がチップの軸部１３の後端に偏った状態に当接して、上記溝部７等を通じて導孔８から流入したインキがチップ内孔部に流入するように構成されている。
【００１１】
また、継ぎ手２の前軸部３の後方には後軸部４が延設されている。後軸部４の外周には筒状のインキ収容管１７が固着され、インキ収容管１７の内孔部が継ぎ手２の導孔８に導通している。また、インキ収容管１７内には耐乾燥性に優れた低粘度油性インキ１８が充填され、更にインキ１８の後端にインキの消耗と共にインキ面に接触して追随するグリース状のフォロア１９が配設されている。尚、上記インキ収容管１７は一例として透明のＰＰ樹脂成形品等が使用される。
【００１２】
次に、ボールペンリフィールを収容する筆記具の軸筒構造について説明する。  軸筒は、後軸２０の前端に雄螺子２２が設けられ、先軸２６の後端孔に雌螺子２７が設けられて、相互間が着脱自在に螺合して構成される。
また、雄螺子２２後端の後軸２０内孔前端に仕切り部２１が設けられており、その仕切り部２１にはボールペンリフィール１ａ，１ｂが挿通する孔と後述するリターンスプリング３８ａ，３８ｂの前端が当接する座部が設けられている。
また、後軸２０の後方軸側面にクリップ３４が形成され、そのクリップ３４が対面する軸側面には軸方向の窓部２５が穿設されている。
また、クリップ３４に対して直角方向となる後軸２０の軸側面両側にスリット２３ａ，２３ｂが穿設されている。また、クリップ３４の先端部には玉部３５が形成され、その玉部３５の前方側には鉤状に係止段部３６が設けられ、また、玉部３５の後端には適宜傾斜面を有した後端部３７が設けられている。
【００１３】
一方、ノック体２９ａ，２９ｂはボールペンリフィール１ａ，１ｂを着脱可能に嵌着する孔部を軸心部に有し、一側面にそれぞれ切り溝を設けて変異可能な弾性片３０ａ，３０ｂが設けられ、その弾性片の後部にガイド突部３１ａ，３１ｂが形成されている。また更に、ガイド突部３１ａ，３１ｂと直角方向となる側面に係止突起３３ａ，３３ｂが設けられている。
【００１４】
以上で、それぞれのボールペンリフィール１ａ，１ｂの後端部が上記ノック体２９ａ，２９ｂに嵌着されると共に、ボールペンリフィールを挿通してそれぞれリターンスプリング３８ａ，３８ｂが取り付けられた状態でノック体が後軸２０の後端から挿入され、ボールペンリフィール１ａ，１ｂを仕切り部２１に設けた孔に挿通させると共にリターンスプリングの前端が仕切り部２１に設けた座部に当接する。また、その際、ノック体２９ａ，２９ｂに設けたガイド突部３１ａ，３１ｂが後軸のスリット２３ａ，２３ｂに弾性変形によって嵌装しノック体２９ａ，２９ｂはそれぞれ後軸２０に取り付けられる。また、係止突起３３ａ，３３ｂが後軸の窓部２５に嵌挿される。
【００１５】
実施例のポンピング式の加圧機構は、弁機構部とノック機構部とで構成されてなり、ノック体の後方に設けられてなる。
また、ノック体２９ａ，２９ｂは同様であり、以下に図２及び図５に基づき一方のノック体２９ｂについて説明する。
先ず、ノック作動によって軸筒に対し進退位置に係止可能となるノック体２９ｂの内孔部前方にボールペンリフィール１ｂが着脱自在に密嵌され、またノック体２９ｂの内孔部後方にポンピング式の加圧機構が設けられて、先軸先端からチップ先端部を突出させた状態で、ノック体２９ｂ後端に設けられたノック棒４０ｂを押圧することによってポンピング式の加圧機構を作動させて、加圧機構部の前端に密嵌されたインキ収容部の後端孔に空気が押し込まれ、その際に所定圧で弁が開いてフォロアの後端が加圧されるように構成されている。
【００１６】
ノック体２９ｂ後方内孔の周面に対しブッシュ４７ｂの外周が液密状となされた上で固着されている。実施例では、ブッシュ４７ｂの前端に中心に孔が穿設された当接板５３ｂが設けられている。また、ブッシュ４７ｂの内孔略後端には、テーパー状または球面状の受け座４８ｂとその軸心に後端に貫通して通気口４９ｂが設けられ、前記ノック体内孔にブッシュ４７ｂが固着される際に、ブッシュ４７ｂの内孔に弁体５０ｂが挿入されると共に、弁体５０ｂと当接板５３ｂとの間にスプリング５２ｂが敷設され、受け座４８ｂに弁体５０ｂが常時密接するように設けられて弁機構部が構成されている。
【００１７】
ノック体２９ｂの後端部側面には、後端側から前方に向かって所定長さのスリット部４３ｂが形成されている。
ノック棒４０ｂは、後端に鍔部とその前方に軸部が形成され、軸部外周の略中間に突部４２ｂと軸部外周の略前端に周状の溝部４１ｂが設けられて、その溝部４１ｂに一例としてゴム等の弾性体や弾性のある成形樹脂などより成るシールリング４４ｂが止着されている。尚、シールリング４４ｂは、気密性、滑り性のよいものが選択される。また、他潤滑剤を介在させるなど配慮される。また、シールリング部は軸部外周に一体に形成することも可能である。
【００１８】
またノック棒４０ｂは、ノック体２９ｂの後端から挿入され、その前端とブッシュ４７ｂの後端との間にノックスプリング５１ｂが敷設されると共に、突部４２ｂが弾性的にスリット部４３ｂの後端４６ｂにに係止され、ノックスプリング５１ｂによってノック体２９ｂに対しノック棒４０ｂは常時後方に附勢されている。以上により、弁機構部の後方にノック機構部が配設される。
【００１９】
ノック棒４０ｂの軸部前方がノック体２９ｂの後方内孔に嵌入すると、シールリング４４ｂの外周部が後方内孔の内周部に摺接する。そのとき、シールリング４４ｂは、スリット部４３ｂの略前端にかかる直前の状態に位置しており、従って、弁体５０ｂの背面とノック棒４０ｂの前端との間に形成される空間部５４ｂは外気と連通している。即ち、ノック棒４０ｂの前進作動の直前において、空間部５４ｂは外気と連通され、ノック棒４０ｂが適宜前進した直後においてシールリング４４ｂの外周部がノック体の内孔内周部に密接することで外気と遮断され、空間部の縮小と共に加圧されるよう構成されている。また、ノック棒４０ｂを前進して空間部を適宜圧縮した状態で、弁体５０ｂとブッシュの受け座４８ｂとの密接状態が解除されるようにノック棒４０ｂの前端に設けられた凸部４５ｂが弁体５０ｂの後端に当接する。
【００２０】
尚、上述した実施例に於いては、ノック棒の前端に凸部を設けているが、弁体の後端に凸部を設けるように構成することも可能である。
また、ノック体２９ａ，２９ｂ双方に加圧機構を設けることも、一方のみに設ける場合もある。また、２本以上の複数のノック体が設けられた場合には、少なくとも一本のノック体に加圧機構が設けられている。
また、加圧機構が設けられたノック体の内孔部前方にボールペンリフィールが着脱自在に密嵌されるが、ノック体内孔部周面と、ボールペンリフィール外周部との間に相互間が固定されるための係止部と加圧状態が気密となるシール部が設けられる。
また、上述した実施例に於いては、複数設けられた個々のノック体にそれぞれ独立した加圧機構が設けられて示されているが、ボールペンリフィールの後方に加圧機構を一箇所で設けて、複数のボールペンリフィールを纏めて加圧、あるいは選択して加圧するように設けることも可能である。また、ボールペンリフィールの後端に弁機構部を一体に設けることで、より構造が単純化できる。
【００２１】
（作用）
先ず、図４はボールペリフィール１ａ，１ｂの筆記先端部を先軸２６内に収納した状態を示している。この状態から一方のノック体の後端をノックした状態が図１乃至図３に示されている。
ノック体２９ａをノックすると、図に示すようにボールペンリフィール１ａの係止突起３３ａがクリップの玉部３５の係止段部３６に係止してボールペンリフィール１ａの筆記先端部が先軸２６の先端口２８から突出される。（この状態で玉部３５の側面を押圧してクリップを横変形させると係止状態が解除されて筆記先端部が軸筒内に収容することができる）次に、他方のノック体２９ｂの後端をノックすると、係止突起３３ｂが玉部の後端部３７を適宜押し上げて係止突起３３ａと係止段部３６の係止が解除されてボールペンリフィール１ａが後退する。  更に、ノック体２９ｂが前進すると係止突起３３ｂが係止段部３６に係止してボールペンリフィール１ｂの筆記先端部が先軸２６の先端口２８から突出する。
【００２２】
また、何れかのボールペンリフィールの筆記先端部を突出したままの状態で胸ポケット等に差した場合、服地でクリップ３４の玉部３５が押し上げられるので係止が解除され筆記先端部が先軸２６内に収納されて、インキで服を汚損する事故が回避される。尚、実施例では上記係止解除の使い勝手を良くする為にクリップ先端部を横変形して係止解除できるように設けているが、一方のボールペンリフィールの筆記先端部が突出状態で他方のノック体の後端をノックすれば入れ違いに突出状態のボールペンリフィールの筆記先端部が先端口内に収容されるので必ずしもクリップが横変形可能とする必然性はない。
【００２３】
次に、ポンピング式の加圧機構の作用を以下に説明する。
図２に示す状態からノック棒４０ａの後端を押圧して前進させると、シールリングの外周部がノック体２９ａの後方内孔の内周部全周に密接した時点で弁体の背面とノック棒４０ａの前端との間の空間部が外気と遮断されると共に、ノック棒４０ａが更に前進することによってシールリングの外周部がノック体２９ａの内孔内周部に密接して摺動し、空間部の縮小と共に内圧が上昇する。
また、ノック棒４０ａを前進して空間部を適宜圧縮した状態で、弁体の受け座との密接状態が解除されるようにノック棒４０ａの前端に設けられた凸部が弁体の後端に当接し、加圧された空気が弁体の前方に押し込まれることによって、フォロアの後端が加圧されてインキのチップ側への流動性が支援される。
【００２４】
そのことは、落下衝撃やインキの流動性の悪さ等に起因して先端ボールの周面からインキが離れてしまい連続的なインキの流出がとぎれるのを防止する作用ととぎれた時に回復する作用となる。また、インキの特性などによって適正な加圧力が設定される。その場合、シールリングの外周部がノック体の内孔内周部全周に密接する時の最初の空間部の容積とノック棒の前端に設けられた凸部が弁体の後端に当接した時の空間部の容積を幾らにするか、シール部のリーク値などを勘案して設定することが可能となる。
また、凸部で弁体の後端に当接することによって、凸部を押圧するスプリングの強さが所定の強さより強い方にばらついても加圧力が設定維持可能である。
【図面の簡単な説明】
【００２５】
【図１】本発明の一実施例である加圧式の複合筆記具の一部非断面の正面側縦断面図で、一本の筆記先端が突出した状態を示している。
【図２】加圧式の複合筆記具の一部非断面の上面側縦断面図を示している。
【図３】加圧式の複合筆記具の一部非断面の別の上面側縦断面図を示している。
【図４】加圧式の複合筆記具の一部非断面の縦断面図で、筆記先端が没入した状態を示している。
【図５】加圧機構を拡大して示した断面図である。
【図６】ボールペンリフィールの全体を示す縦断面図である。
【符号の説明】
【００２６】
１ａ        ボールペンリフィール
１ｂ        ボールペンリフィール
２          継ぎ手
３          前軸部
４          後軸部
５          弁室
６          ボール受け座
７          溝部
８          導孔
９          ボール弁
１０        内孔部
１１        チップ
１２        先端ボール
１３        軸部
１４        カシメ部
１５        スプリング
１６        棒軸部
１７        インキ収容管
１８        インキ
１９        フォロア
２０        後軸
２１        仕切り部
２２        雄螺子
２３ａ      スリット
２３ｂ      スリット
２４        スリット
２５        窓部
２６        先軸
２７        雌螺子
２８        先端口
２９ａ      ノック体
２９ｂ      ノック体
３０ａ      弾性片
３０ｂ      弾性片
３１ａ      ガイド突部
３１ｂ      ガイド突部
３２ｂ      切り溝
３３ａ      係止突起
３３ｂ      係止突起
３４        クリップ
３５        玉部
３６        係止段部
３７        後端部
３８ａ      リターンスプリング
３８ｂ      リターンスプリング
４０ａ      ノック棒
４０ｂ      ノック棒
４１ｂ      溝部
４２ｂ      突部  
４３ｂ      スリット部
４４ｂ      シールリング
４５ｂ      凸部
４６ｂ      後端
４７ｂ      ブッシュ
４８ｂ      受け座
４９ｂ      通気口
５０ｂ      弁体
５１ｂ      ノックスプリング
５２ｂ      スプリング
５３ｂ      当接板
５４ｂ      空間部
【図１】
2004314634.tif 000003
【図２】
2004314634.tif 000004
【図３】
2004314634.tif 000005
【図４】
2004314634.tif 000006
【図５】
2004314634.tif 000007
【図６】
2004314634.tif 000008